(57)【要約】【課題】火災等の熱を受けた場合にも框部材の変形を抑制することができる建具を提供する。【解決手段】建具１０は、開口枠１４を構成する縦枠１４ｃに対して回動軸２６によって回動可能に取り付けられ、障子１２を構成する縦框２０ｃに対してスライド部材３０によってスライド可能に取り付けられたアーム部材２４を備え、障子１２を開口枠１４に対して開閉可能に設けると共にアーム部材２４によって障子１２を全開位置で保持する構成である。建具１０は、障子１２が全閉された状態ではアーム部材２４と縦框２０ｃとの間を係合することでアーム部材２４によって縦枠１４ｃと縦框２０ｃとの間を係合させる一方、障子１２が開かれた状態ではその係合が解除される係合構造３８を備える。【選択図】図３
2016008444.tif 000002
【特許請求の範囲】
【請求項１】
開口枠を構成する枠部材及び障子を構成する框部材の一方に対して回動軸によって回動可能に取り付けられ、他方に対してスライド部材によってスライド可能に取り付けられたアーム部材を備え、前記障子を前記開口枠に対して開閉可能に設けると共に前記アーム部材によって障子を全開位置で保持する建具であって、
前記障子が全閉された状態では前記アーム部材と前記他方の枠部材又は框部材との間を係合することで該アーム部材によって前記枠部材と前記框部材との間を係合させる一方、前記障子が開かれた状態では前記係合が解除される係合構造を備えることを特徴とする建具。
【請求項２】
請求項１記載の建具において、
前記アーム部材は、前記枠部材のうちの縦枠と前記框部材のうちの縦框とに対して取り付けられ、前記障子が全閉された状態で前記縦枠と前記縦框との間でその長手方向が上下方向に沿って配設されることを特徴とする建具。
【請求項３】
請求項２記載の建具において、
前記係合構造は、前記アーム部材に設けられた第１凹部又は第１凸部と、
前記縦枠又は前記縦框に設けられ、前記第１凹部又は前記第１凸部と係合可能且つ非係合可能な第２凸部又は第２凹部とを有することを特徴とする建具。
【請求項４】
請求項３記載の建具において、
前記アーム部材は、一端側が前記縦枠に対して前記回動軸によって回動可能に取り付けられると共に、他端側が前記縦框に対して前記スライド部材によってスライド可能に取り付けられ、
前記第２凸部又は前記第２凹部は、前記縦框に設けられていることを特徴とする建具。
【請求項５】
請求項４記載の建具において、
前記第１凹部又は前記第１凸部は、前記アーム部材の上部に設けられ、
前記回動軸は、前記アーム部材の下部に設けられていることを特徴とする建具。
【請求項６】
請求項５記載の建具において、
前記アーム部材には前記第１凹部が設けられると共に、該第１凹部は前記障子の閉じ方向に向かって開口しており、
前記縦框には、前記第２凸部が設けられると共に、該第２凸部は前記第１凹部に対して前記開口から係合可能且つ非係合可能なピン部材であることを特徴とする建具。
【発明の詳細な説明】
【技術分野】
【０００１】
本発明は、障子を開口枠に対してアーム部材によって開閉可能に支持した建具に関する。
【背景技術】
【０００２】
内倒し窓のように開口枠に対して障子を倒して開閉する建具では、開口枠を構成する枠部材と障子を構成する框部材との間をアーム部材によって連結し、このアーム部材によって障子の全開位置を規制した構成が用いられることがある。
【０００３】
例えば、特許文献１には、アーム部材の上部をスライド部材を介して開口枠の縦枠に対してスライド可能に取り付け、下部を障子の縦框に対して回動軸によって回動可能に支持した構成が開示されている。この構成の場合、障子を開閉する際にはアーム部材が回動軸を中心として回動し、同時にスライド部材が縦枠に沿ってスライドすることで障子が支持される。
【先行技術文献】
【特許文献】
【０００４】
【特許文献１】特開平７−２２４５６７号公報
【発明の概要】
【発明が解決しようとする課題】
【０００５】
ところで、上記のような建具が火災等に晒された場合には、障子はその下框が形材丁番によって下枠に支持されているため、熱の影響により縦框が上方に向かって伸長される場合がある。そうすると、開口枠と障子との間に適切なクリアランスを維持しておくことができなくなり、開閉動作に不具合を生じる懸念がある。さらに、縦框が熱によって上方へと伸長されると、縦框の上端及びこの上端に連結された上框が上方へと移動するため、框部材によるガラスの保持ができなくなり、ガラスが脱落する懸念もある。
【０００６】
本発明は、上記従来技術の課題を考慮してなされたものであり、火災等の熱を受けた場合にも框部材の変形を抑制することができる建具を提供することを目的とする。
【課題を解決するための手段】
【０００７】
本発明に係る建具は、開口枠を構成する枠部材及び障子を構成する框部材の一方に対して回動軸によって回動可能に取り付けられ、他方に対してスライド部材によってスライド可能に取り付けられたアーム部材を備え、前記障子を前記開口枠に対して開閉可能に設けると共に前記アーム部材によって障子を全開位置で保持する建具であって、前記障子が全閉された状態では前記アーム部材と前記他方の枠部材又は框部材との間を係合することで該アーム部材によって前記枠部材と前記框部材との間を係合させる一方、前記障子が開かれた状態では前記係合が解除される係合構造を備えることを特徴とする。
【０００８】
このような構成によれば、障子が全閉された状態でアーム部材と他方の枠部材又は框部材との間を係合することで該アーム部材によって枠部材と框部材との間を係合させる係合構造を備える。このため、火災等の熱によって框部材が熱伸びしようとしてもアーム部材による拘束作用によってその伸びや変形が抑制される。このため、障子に設けられたガラス板等の面材の脱落を防止できる。また、開口枠と障子との間のクリアランスも維持できるため、障子の開閉動作に不具合を生じることも防止できる。
【０００９】
本発明に係る建具において、前記アーム部材は、前記枠部材のうちの縦枠と前記框部材のうちの縦框とに対して取り付けられ、前記障子が全閉された状態で前記縦枠と前記縦框との間でその長手方向が上下方向に沿って配設されるものであってもよい。そうすると、障子の全閉時には、係合構造によって開口枠の縦枠に対して障子の縦框をアーム部材で上下方向に係合しておくことができるため、火災時に高温となり易い上部での縦框の上方への熱伸びを効果的に防止できる。
【００１０】
本発明に係る建具において、前記係合構造は、前記アーム部材に設けられた第１凹部又は第１凸部と、前記縦枠又は前記縦框に設けられ、前記第１凹部又は前記第１凸部と係合可能且つ非係合可能な第２凸部又は第２凹部とを有する構成であると、簡素な構成で縦框の熱伸びや変形を抑えることができる。
【００１１】
本発明に係る建具において、前記アーム部材は、一端側が前記縦枠に対して前記回動軸によって回動可能に取り付けられると共に、他端側が前記縦框に対して前記スライド部材によってスライド可能に取り付けられ、前記第２凸部又は前記第２凹部は、前記縦框に設けられていてもよい。これにより、障子の全閉時にアーム部材を介して縦框と縦枠とを確実に係合することができる。
【００１２】
本発明に係る建具において、前記第１凹部又は前記第１凸部は、前記アーム部材の上部に設けられ、前記回動軸は、前記アーム部材の下部に設けられていると、アーム部材の上下方向の長さ寸法を利用して縦枠の下部と縦框の上部との間を係合することができるため、縦框の熱伸びや変形を一層効果的に防止できる。
【００１３】
本発明に係る建具において、前記アーム部材には前記第１凹部が設けられると共に、該第１凹部は前記障子の閉じ方向に向かって開口しており、前記縦框には、前記第２凸部が設けられると共に、該第２凸部は前記第１凹部に対して前記開口から係合可能且つ非係合可能なピン部材であると、係合構造を簡素な構成とし且つ円滑に作用させることができる。
【発明の効果】
【００１４】
本発明によれば、加熱時の框部材の伸びや変形をアーム部材によって抑止し、障子に設けられたガラス板等の面材の脱落を防止できる。また、開口枠と障子との間のクリアランスも維持できるため、障子の開閉動作に不具合を生じることも防止できる。
【図面の簡単な説明】
【００１５】
【図１】図１は、本発明の一実施形態に係る建具の正面図である。
【図２】図２は、図１に示す建具の障子を全開させた状態での縦断面図である。
【図３】図３は、図２に示す障子を全閉させた状態での縦断面図である。
【図４】図４は、図３に示す建具の要部を拡大した横断面図である。
【発明を実施するための形態】
【００１６】
以下、本発明に係る建具について好適な実施の形態を挙げ、添付の図面を参照しながら詳細に説明する。
【００１７】
図１は、本発明の一実施形態に係る建具１０の正面図である。図２は、図１に示す建具１０の障子１２を全開させた状態での縦断面図であり、図３は、図２に示す障子１２を全閉させた状態での縦断面図である。
【００１８】
図１〜図３に示すように、建具１０は、建物の躯体開口部に固定される開口枠１４と、開口枠１４の開口部１６に対して開閉可能に支持される障子１２とを備える。建具１０は、開口枠１４に対して障子１２の上端部を室内側に倒して開閉する、いわゆる内倒し窓と呼ばれる開閉窓である。
【００１９】
開口枠１４は、枠部材となる上枠１４ａ、下枠１４ｂ及び左右の縦枠１４ｃ，１４ｃを四周枠組みすることで矩形の開口部１６を形成したものである。上枠１４ａ、下枠１４ｂ及び縦枠１４ｃは、例えばアルミニウム製の押出形材である。
【００２０】
障子１２は、内部に配設されるガラス板（面材）１８と、ガラス板１８の四周縁部を囲む框部材となる上框２０ａ、下框２０ｂ及び左右の縦框２０ｃ，２０ｃとを框組みして構成したものである。上框２０ａ、下框２０ｂ及び縦框２０ｃは、例えばアルミニウム製の押出形材である。障子１２は、開口枠１４の開口部１６に装着可能な外形を有する。
【００２１】
障子１２の下框２０ｂと開口枠１４の下枠１４ｂとの間には、形材丁番（回転軸）２２が形成されている。形材丁番２２は、図２及び図３に示すように、下枠１４ｂに設けた断面円弧状の頂部を有する凸状体２２ａに対し、下框２０ｂの下端面２２ｂを回転可能に装着して構成されている。図示はしないが、下框２０ｂの下端面２２ｂには、凸状体２２ａと回転可能に嵌合される凹状体を設けてもよい。
【００２２】
障子１２は、その下端部が形材丁番２２によって開口枠１４に回動可能に連結されることで、その上端部を室内側に倒して開閉することができる（図２参照）。障子１２の上端部中央には、障子１２の上端部を開口枠１４に対して保持する係止手段を兼ねる取っ手２３が設けられている。
【００２３】
このように開閉する障子１２と開口枠１４との間には、アーム部材２４が設けられている。アーム部材２４は、障子１２を開口枠１４に対して開閉可能に支持するものであり、開口枠１４の縦枠１４ｃと、この縦枠１４ｃに対面する障子１２の縦框２０ｃとの間を連結するように取り付けられている（図４参照）。アーム部材２４は、図２に示すように障子１２が全閉された状態で長手方向が上下方向に沿って配設される一方、障子１２が開かれた状態では室内側に倒れた傾斜姿勢となる（図２及び図３参照）。
【００２４】
図２及び図３に示すように、アーム部材２４の下部は、縦枠１４ｃに対して回動軸２６を介して回動可能に取り付けられている。回動軸２６は、ブラケット２８を介して縦枠１４ｃにねじ止め固定される。
【００２５】
アーム部材２４の上部には、上端に向かって順にスライド部材３０と係合凹部３２とが設けられている。
【００２６】
スライド部材３０により、アーム部材２４の上部は縦框２０ｃに対してスライド可能に取り付けられている。スライド部材３０は、縦框２０ｃの見込み面に長手方向（上下方向）に沿って延在するレール状溝部３４に対してスライド可能に装着される。アーム部材２４はスライド部材３０に対し、回転軸３０ａによって回転可能な状態で連結されている。スライド部材３０は、障子１２の全開位置でその上方へのスライドが規制される。これにより、アーム部材２４によって障子１２が全開位置で保持される。
【００２７】
係合凹部３２はアーム部材２４の上端に設けられ、障子１２の閉じ方向（室外側方向）に向かって開口している。アーム部材２４が取り付けられた縦框２０ｃの見込み面の上部には、アーム部材２４が取り付けられた縦框２０ｃ側に向かって突出したピン部材３６が設けられている。係合凹部３２とピン部材３６とは、図３に示すように障子１２が全閉された状態で互いに係合される一方（図３及び図４参照）、障子１２が開かれた状態では係合が解除されて非係合状態（図２参照）になる係合構造３８を構成する。
【００２８】
係合構造３８では、図２中に１点鎖線で示す移動軌跡Ａ，Ｂに示すように、障子１２の開閉動作により、係合凹部３２が回動軸２６を中心とする円周上の移動軌跡Ａに沿って移動し、ピン部材３６が形材丁番２２を中心とする円周上の移動軌跡Ｂに沿って移動する。これら移動軌跡Ａ，Ｂは、障子１２が全閉又は略全閉された状態で互いに交差する円弧である。このため、係合凹部３２及びピン部材３６は、障子１２が全閉又は略全閉の状態でのみ係合し、それ以外の状態では非係合となる。換言すれば、係合凹部３２とピン部材３６とは、障子１２が全閉又は略全閉の状態でのみ係合し、それ以外の状態では非係合となる位置関係で配置されている。
【００２９】
図３に示すように、火災等によって加熱されていない常温時、係合凹部３２の上下方向幅（開口幅）はピン部材３６の直径よりも大きく、両者の間にはクリアランスが形成される。これにより、通常の障子１２の開閉動作時にピン部材３６が係合凹部３２に当たることがないため、衝撃音の発生を防止し、両者の摺動摩擦によって障子１２の開閉動作が重くなることを防止できる。一方、火災等によって加熱されて框２０ｃが後述のような熱伸びを生じた場合には、ピン部材３６が係合凹部３６の内端面に当接するため、それ以上の熱伸びが防止されることになる。なお、前記クリアランスを実質的にゼロとし、通常の障子１２の開閉動作時に常にピン部材３６が係合凹部３２に摺接する構造としても勿論よい。
【００３０】
以上のように、建具１０では、障子１２の下端部が形材丁番２２によって開口枠１４の下枠１４ｂに支持されている。このため、図３に示す障子１２の全閉状態にある際に火災等で加熱されると、特に建具１０の上部が高温になって縦框２０ｃが上方に向かって伸長しようとする。縦框２０ｃが熱によって上方に伸長してしまうと、縦框２０ｃの上端及びこの上端に連結された上框２０ａが上方へと移動するため、上框２０ａとガラス板１８の上縁部との間に隙間を生じてその保持ができなくなり、ガラス板１８が脱落する懸念がある。
【００３１】
この点、本実施形態に係る建具１０では、障子１２が全閉された状態で係合構造３８を構成する係合凹部３２とピン部材３６とが係合状態、つまりアーム部材２４の上部と縦框２０ｃとが係合状態にあり、アーム部材２４の上部が縦框２０ｃに対して上下方向に拘束された状態にある。一方、アーム部材２４の下部は、障子１２の開閉位置に関わらず回動軸２６によって縦枠１４ｃに対して上下方向に拘束されている。これにより、アーム部材２４によって縦枠１４ｃと縦框２０ｃとの間が係合され、縦枠１４ｃに対する縦框２０ｃの上下方向位置が拘束されている。このため、縦框２０ｃが上方に向かって熱伸びしようとしても係合凹部３２の内端面にピン部材３６が当接するとそれ以上の伸びや変形が抑制されるため、ガラス板１８の脱落が防止される。また、開口枠１４と障子１２との間のクリアランスも維持できるため、障子１２の開閉動作に不具合を生じることも防止できる。
【００３２】
建具１０では、アーム部材２４がステンレス製であり、縦枠１４ｃ及び縦框２０ｃがアルミニウム製となっている。つまり、アーム部材２４には、縦枠１４ｃ及び縦框２０ｃよりも熱膨張率の小さな材質が用いられており、温度上昇時の伸び量が小さい。このため、アーム部材２４が縦枠１４ｃや縦框２０ｃと一緒になって熱伸びすることが防止されるため、縦框２０ｃの変形やガラス板１８の脱落を一層確実に防止することができる。
【００３３】
なお、本発明は、上記した実施形態に限定されるものではなく、本発明の主旨を逸脱しない範囲で自由に変更できることは勿論である。
【００３４】
例えば、上記実施形態では、アーム部材２４に係合凹部（第１凹部）３２を設け、縦框２０ｃにピン部材（第２凸部）３６を設けた係合構造３８を例示したが、ピン部材（第１凸部）３６をアーム部材２４に設け、係合凹部（第２凹部）３２を縦框２０ｃに設けた構成としてもよい。
【００３５】
また、上記実施形態では、開口枠１４の縦枠１４ｃにアーム部材２４の回動軸２６を設け、障子１２の縦框２０ｃにアーム部材２４をスライド可能に支持するスライド部材３０を設けた構成を例示したが、回動軸２６を縦框２０ｃに設け、スライド部材３０を縦枠１４ｃにスライド可能に設けた構成としてもよい。
【符号の説明】
【００３６】
１０  建具、１２  障子、１４  開口枠、１４ａ  上枠、１４ｂ  下枠、１４ｃ  縦枠、１６  開口部、１８  ガラス板、２０ａ  上框、２０ｂ  下框、２０ｃ  縦框、２２  形材丁番、２４  アーム部材、２６  回動軸、３０  スライド部材、３２  係合凹部、３６  ピン部材、３８  係合構造
【図１】
2016008444.tif 000003
【図２】
2016008444.tif 000004
【図３】
2016008444.tif 000005
【図４】
2016008444.tif 000006